(57)【要約】【課題】主映像と共にブランク部を有する映像信号を映像として違和感が少ない映像信号に変換することができる映像信号処理装置を提供する。【解決手段】第１のアスペクト比の映像サイズの主映像とその主映像以外の領域に位置するブランク部とからなる映像を示しかつ第１のアスペクト比と異なる第２のアスペクト比の映像サイズの映像信号に対して映像加工処理を施す映像信号処理装置であって、映像信号によって示される映像のうちのブランク部を検出するブランク検出手段と、ブランク検出手段によるブランク部の検出に応じて主映像の部分の映像信号に基づいた加工映像を示す映像信号を生成する映像加工手段と、加工映像を示す映像信号と主映像を示す映像信号とを合成した映像信号を生成する合成手段と、を備えた。【選択図】  図１
2005020512.tif 000002
【特許請求の範囲】
【請求項１】
第１のアスペクト比の映像サイズの主映像とその主映像以外の領域に位置するブランク部とからなる映像を示しかつ前記第１のアスペクト比と異なる第２のアスペクト比の映像サイズの映像信号に対して映像加工処理を施す映像信号処理装置であって、
前記映像信号によって示される映像のうちの前記ブランク部を検出するブランク検出手段と、
前記ブランク検出手段による前記ブランク部の検出に応じて前記主映像の部分の映像信号に基づいた加工映像を示す映像信号を生成する映像加工手段と、
前記加工映像を示す映像信号と前記主映像を示す映像信号とを合成した映像信号を生成する合成手段と、を備えたことを特徴とする映像信号処理装置。
【請求項２】
前記加工映像はモノクロ映像であることを特徴とする請求項１記載の映像信号処理装置。
【請求項３】
前記加工映像は拡大映像であることを特徴とする請求項１記載の映像信号処理装置。
【請求項４】
前記加工映像はぼかし映像であることを特徴とする請求項１記載の映像信号処理装置。
【発明の詳細な説明】
【０００１】
【産業上の利用分野】
本発明は、入力映像信号をその映像のアスペクト比と異なるアスペクト比の映像サイズを有する映像信号に変換する映像信号処理装置に関する。
【０００２】
【従来の技術】
現行のテレビ放送においては、アスペクト比４：３を有するＳＤＴＶ（標準画質テレビ）用の放送と、アスペクト比１６：９のＨＤＴＶ（高画質テレビ）用の放送とが行われている。ＨＤＴＶ用の放送では、アスペクト比４：３を有するＳＤＴＶ用の映像信号について放送する場合には放送局側でアスペクト比１６：９の映像を有する映像信号に変換した後、放送されている。よって、ＨＤＴＶ用のテレビジョン受像機でその変換された映像信号を受信すると、画面には、通常、アスペクト比４：３を有する映像が中央に表示され、その左右に黒色のブランク部が表示される。
【０００３】
【発明が解決しようとする課題】
このように、テレビジョン受像機の画面のアスペクト比と異なるアスペクト比の主映像がブランク部と共に表示されると、そのブランク部のために視聴者には表示映像が不自然な映像として見えてしまい違和感が生じるという欠点があった。
【０００４】
本発明が解決しようとする課題には、上記の欠点が一例として挙げられ、主映像と共にブランク部を有する映像信号を映像として違和感が少ない映像信号に変換することができる映像信号処理装置を提供することが本発明の目的である。
【０００５】
【課題を解決するための手段】
本発明の映像信号処理装置は、第１のアスペクト比の映像サイズの主映像とその主映像以外の領域に位置するブランク部とからなる映像を示しかつ前記第１のアスペクト比と異なる第２のアスペクト比の映像サイズの映像信号に対して映像加工処理を施す映像信号処理装置であって、前記映像信号によって示される映像のうちの前記ブランク部を検出するブランク検出手段と、前記ブランク検出手段による前記ブランク部の検出に応じて前記主映像の部分の映像信号に基づいた加工映像を示す映像信号を生成する映像加工手段と、前記加工映像を示す映像信号と前記主映像を示す映像信号とを合成した映像信号を生成する合成手段と、を備えたことを特徴としている。
【０００６】
【発明の実施の形態】
以下、本発明の実施例を図面を参照しつつ詳細に説明する。
図１は本発明による映像信号処理装置を示している。この映像信号処理装置はＰＤＰテレビ受像機等のアスペクト比１６：９の表示画面を有するテレビ受像機内に備えられている。映像信号処理装置には、２つの映像信号が入力可能にされている。第１映像信号及び第２映像信号は特に限定されないが、例えば、アスペクト比４：３のＳＤＴＶ用の映像信号或いはアスペクト比１６：９のＨＤＴＶ（高画質テレビ）用の映像信号である。映像信号処理装置の出力はテレビ受像機の映像入力系に接続されている。
【０００７】
映像信号処理装置はリサイズ回路１，２、輝度検出回路３、切替スイッチ４，７，１０、制御回路５、白黒化ＬＰＦ６及びタイミング調整部８，９からなる。リサイズ回路１には第１映像信号が供給される。リサイズ回路１はテレビ受像機の表示画面の画素数に合わせるように第１映像信号を変換する。リサイズ回路１の出力にはタイミング調整部８が接続されている。
【０００８】
輝度検出回路３は第１映像信号の輝度レベルを検出する。その検出結果を示す輝度検出信号は制御回路５に供給される。
切替スイッチ４には第１映像信号及び第２映像信号の双方が供給される。切替スイッチ４は制御回路５の指令に応じて第１映像信号及び第２映像信号のいずれか一方をリサイズ回路２に選択的に供給する。
【０００９】
リサイズ回路２はテレビ受像機の表示画面の画素数に合わせるように第１映像信号を変換する。
リサイズ回路２の出力には白黒化ＬＰＦ６が接続されている。白黒化ＬＰＦ６はリサイズ回路２から供給される映像信号の低域成分（輝度信号）だけを通過させることにより映像信号の輪郭をぼかすと共に映像信号をモノクロ化させる。
【００１０】
白黒化ＬＰＦ６の出力には切替スイッチ７が設けられている。切替スイッチ７の一方の入力には白黒化ＬＰＦ６の出力が接続され、他方の入力にはリサイズ回路２の出力が接続されている。切替スイッチ７は制御回路５の指令に応じてリサイズ回路２の出力映像信号と白黒化ＬＰＦ６の出力映像信号とのいずれか一方を選択的にタイミング調整部９に供給する。
【００１１】
タイミング調整部８，９は供給される映像信号の出力タイミングを制御回路５の指令に応じて調整する。タイミング調整部８，９の出力には映像信号を合成するための切替スイッチ１０が接続されている。切替スイッチ１０の出力が本映像信号処理装置の出力となる。切替スイッチ１０は制御回路５の指令に応じてタイミング調整部８，９の出力映像信号のいずれか一方を選択的に出力する。
【００１２】
制御回路５は、輝度検出回路３から供給される輝度検出信号に応じて各種の指令を発する。また、図示してないが、第１映像信号の水平同期信号が制御回路５には供給される。
かかる構成の映像信号処理装置において、第１映像信号として４：３のカメラで撮影された映像信号をベースにした１６：９のハイビジョン用の映像信号が入力される場合、この１６：９の映像信号が示す画像では図２に示すように、１６：９画面の不足分を補うために左右端部に黒帯部が合成されたものとなっている。ブランク部（黒帯部）を除く映像自体は４：３のアスペクト比を有している。
【００１３】
このような１６：９のブランク部を有する第１映像信号は、図３に示すように輝度信号と水平同期信号とを有している。この第１映像信号は輝度検出回路３に供給されると共にリサイズ回路１及びリサイズ回路２に供給される。
輝度検出回路３は図３に示すように、第１映像信号が閾値より大であるときを輝度区間として輝度検出信号を発生する。輝度検出信号は制御回路５に供給される。制御回路５は水平同期信号の発生後、輝度検出信号が発生するまでの期間を第１のブランク区間とし、更に、輝度検出信号の消滅後、次の水平同期信号が発生するまでの期間を第２のブランク区間と判断する。なお、実際には図３に示すように、各ブランク区間は水平同期信号との間には非表示区間がある。
【００１４】
第１映像信号が切替スイッチ４を介してリサイズ回路２に供給された状態では、リサイズ回路２は、制御回路５によって第１映像信号中の輝度区間、すなわち実映像区間が指示されるので、その指示に応じて実映像部分が左右に拡大されるようにその映像信号の変換を行う。リサイズ回路２によって変換された映像信号は実映像について１６：９のアスペクト比を有し、ブランク部を有していない。その変換後の映像信号は白黒化ＬＰＦ６に供給され、そこで色成分が除去されたモノクロの映像信号となる。
【００１５】
切替スイッチ７にはリサイズ回路２の出力映像信号とそのモノクロの映像信号とが供給される。切替スイッチ７では制御回路５の指令に応じてリサイズ回路２の出力映像信号と白黒化ＬＰＦ６の出力映像信号とのいずれか一方が選択され、選択された映像信号がタイミング調整部９に供給される。制御回路５はタイミング調整部８，９に対して映像信号の同期が互いにとれるようにタイミング調整指令を発生する。タイミング調整部８，９によるタイミング調整によって切替スイッチ１０に供給されるブランク部を有する映像信号Ａとブランク部に実映像を挿入した映像信号Ｂとの同期が互いに一致することになる。
【００１６】
切替スイッチ１０は制御回路５の指令に応じてブランク部を有する映像信号Ａのブランク期間では映像信号Ｂを選択して出力する。一方、ブランク期間外では映像信号Ａが切替スイッチ１０によって選択されて出力される。よって、図４に示すように、切替スイッチ１０から出力される映像信号は１６：９のアスペクト比を有するディスプレイの画面左右のブランク部に相当する領域では映像信号Ｂによる映像を示し、それ以外の領域では映像信号Ａによる４：３のアスペクト比を有する主映像を示す。
【００１７】
なお、上記した実施例においては、画面左右のブランク部に相当する領域には主映像に関連するモノクロのぼかし映像が配置されるが、リサイズ回路２の出力映像信号が示す主映像に関連するぼかし映像や拡大映像を配置しても良い。
また、上記した実施例においては、映像信号のブランク部は画面左右に存在する場合について説明したが、これに限らず、ブランク部が図面上下に存在する場合、画面上下左右に存在する場合にも本発明を適用することができる。
【００１８】
この場合、例えば１６：９のカメラで撮影された映像信号をベースにした上下端部にブランク部が存在する４：３の映像信号を４：３のテレビ受像機で表示する場合に、主映像に関連するモノクロ画像などがブランク部に配置されることになる。
また、上記した実施例においては、アスペクト比４：３の映像サイズの主映像とその主映像以外の表示領域にブランク部とを示すアスペクト比１６：９の映像サイズの映像信号が直接入力される場合について説明したが、アスペクト比４：３の映像サイズの映像信号を左右端部にブランク部を有するアスペクト比１６：９の映像サイズの映像信号に変換して１６：９のテレビ受像機に表示する場合についても同様に主映像に関連するモノクロ画像などをブランク部に配置する映像加工を行うことができる。
【００１９】
この場合、アスペクト比４：３の映像サイズの映像信号を左右端部にブランク部を有するアスペクト比１６：９の映像サイズの映像信号に変換するリサイズ回路をリサイズ回路１及び輝度検出回路３の前段に設け、このリサイズ回路の出力映像信号をリサイズ回路１，２及び輝度検出回路３に供給するようにすればよい。
【００２０】
また、アスペクト比４：３の映像サイズの映像信号が第１映像信号として入力される場合において、左右端部にブランク部を有するアスペクト比１６：９の映像サイズの映像信号に変換することなく、切替スイッチ１０により４：３の主映像の左右に主映像に関連するモノクロ映像を配置した１６：９の映像信号を合成することも可能である。この場合、切替スイッチ１０の制御はブランク部の検出に応じて行われる構成とはならず、予め設定された所定の制御プログラムに応じて実行される。
【００２１】
以上のように、本発明によれば、表示映像のブランク部に相当する部分には主画像に基づいた加工映像が表示されるので、視聴者には表示映像を一体化した映像として見ることができ、ブランク部として表示される場合に比べて違和感が減少される。また、ブランク部として表示される場合に比べて表示パネルの焼き付き防止効果が期待できる。
【図面の簡単な説明】
【図１】本発明の映像信号処理装置を示すブロック図である。
【図２】画面左右にブランク部を有するアスペクト比１６：９の映像を示す図である。
【図３】図１の装置の動作を示す波形図である。
【図４】画面左右に加工映像を有するアスペクト比１６：９の映像を示す図である。
【符号の説明】
１，２  リサイズ回路
３  輝度検出回路
５  制御回路
６  白黒化ＬＰＦ
８，９  タイミング調整部
【図１】
2005020512.tif 000003
【図２】
2005020512.tif 000004
【図３】
2005020512.tif 000005
【図４】
2005020512.tif 000006